(57)【要約】      （修正有）【課題】  黒曜石は安価で仕入ができ、リンサンエン鉱物から強力マイナスイオンを発生できる製品開発により、又、コンパクトに無数に穴を開けた、セラミックス板の開発やイオンボールによって多く製品に取り付け使用が容易にでき、マイナスイオンが多い事により身体健康効果・自然治癒力の増進・細胞や血液の浄化作用・抵抗力の増進作用・自立神経の調整作用・交換神経活性作用・皮膚病・肌の美白効果・細胞の活性化増進・等に役立つ浄水器を提供する。【解決手段】  長野県和田峠産黒曜石イオンボールの開発により発生するマイナスイオン測定、１ボール（Φ１０ｍｍ）当たり２７００個１ＣＣ（株式会社佐藤商事  型式ＣＯＭ−３０１０ＰＲＯ使用）の測定機の結果マイナスイオンが発生する。浄水器に上記の強力マイナスイオンボールを使用した所、２０秒間で８０００個ＩＣＣ以上のマイナスイオンが測定できた。【選択図】なし【特許請求の範囲】
【請求項１】
黒曜石とリンサンエン鉱物を微粉砕混合特殊加工行った、強力マイナスイオン発生イオンセラミックスボールの開発により、人体に良いコンパクトで類の無い強力マイナスイオン水、及び、遠赤外線を発生させ、又、抗菌作用ができる活水器の開発である。
【請求項２】
黒曜石とリンサンエン鉱物を微粉粉砕に加工して、無数の穴を開けた板状、又は、ボールに加工した物を８００度〜９００度に焼きセラミックス加工する事により、画期的な強力マイナスイオンが発生できるマイナスイオンボールを組み合わせて水道水圧を加えてマイナスイオン水になる開発である。
黒曜石特殊加工イオンボールから出るマイナスイオンは１ボール（Φ１０ｍｍ）当り２７００個１ＣＣ（株式会社佐藤商事形式ＣＯＭ−３０１０ＰＲＯ使用）の測定が出ています。
今回の浄水器の測定を（株）佐藤商事会社の測定器で８０００個ＩＣＣ以上のマイナスイオンが発生する水道用活水器です。
【請求項３】
今回の開発した活水器は簡単に取り付けができ、水道水の塩素が除去でき、美味しい水になって、更に、マイナスイオン化によって健康水になります。
荻原大出願人０００１１２３３０９出願日・平成１６年３月８日、出願番号・特願２００４−１１０５３２黒曜石とトルマリン鉱石を持ちえたマイナスイオン発生サウナ（岩盤浴）装置の開発から現在至る、イオン生成材（リンサンエン鉱物）の開発ができ、特願件数１０数件以上有ります。多くの方々の強力で開発ができ又、今後も数多くの黒曜石とトルマリン鉱石及びリンサンエン鉱物を持ちえる、強力マイナスイオン発生装置を持ち得た開発をしたいと思います。
【発明の詳細な説明】
【技術分野】
【０００１】  本発明はマイナスイオン水ができる、１ｃｍリッポーから２０秒間で８０００個ＩＣＣ以上発生できるイオボールを使用し、簡単に水道蛇口に取り付けができる浄水器の開発である。
【背景技術】
【０００２】  近年の浄水器装置は、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているがイオン測定の結果身体に良いマイナスイオン発生率が小量である。
【発明の開示】
【発明が解決しようとする課題】
【０００３】  本発明はこのような従来の問題点に着目してなされたものであり、黒曜石とリンサンエン鉱物を微粉粉砕してセラミックスボール、又は、無数の穴を開けたセラミックス板を作成した、その穴を水道水が通過する事で、（株）佐藤商事形式マイナスイオン測定機の結果２０秒間に８０００個ＩＣＣ以上の画期的な強力マイナスイオンが出るセラミックス鉱石を作成に成功したのです。
【課題を解決するための手段】
【０００４】  本発明により塩素の含まれた水道水、又、人体に与える有害水等を自動的に強力マイナスイオン・遠赤外線・抗菌作用を発生させて身体に良い水に変える事が出来る装置を長年の研究と実験で実証が出来た。【０００５】  図１立体図  １の水道蛇口から出る水圧を、４の強力マイナスイオンボールに加え、上記のマイナスイオンボールから発生するマイナスイオンは（株）佐藤商事の測定機では、２０秒間に８０００個１ＣＣ以上のマイナスイオンが発生します。
６黒曜石７トルマリン鉱石に水圧が加わり、又、鉱石により水道水が浄化されて、８下の浄水カバー、下１２−３の矢印方向に水道水が１２−４の矢印方向に流れる。８浄水カバーをはずし簡単に中の５容器（黒曜石・トルマリン鉱石）等を水洗いができる装置です。現在の市販されて居る浄水器は、フィルター交換を行い毎月経費がかかる装置です。又、今回の開発は、フィルターが無用、９上の浄水カバーも同様、分解ができ水洗いが容易にでき、清潔に使用が出来る装置である。
１０水道出口からマイナスイオン水として使用が出来る開発装置である。
浄水器の原理は大半同様であるが、今回の開発はフィルターが無用である事、又、中の鉱石類を簡単に取り外し、丸洗いができる事・８・９の浄水器が簡単に分解でき、マイナスイオン発生鉱石は、半永久に使用ができる多くの長所である。長野県和田峠産黒曜石とリンサンエン鉱物を微粉砕し、４特殊黒曜石セラミックスボール又は、無数の穴を開けたセラミックス板状から発生するマイナスイオンは、２０秒間で８０００個ＩＣＣ個以上発生する事が（株）佐藤商事形式ＣＯＭ−３０１０ＰＲＯの測定の結果である。
【発明の効果】
【０００６】  トルマリン鉱石は人体に効能効果がある石として世間で数多くの色々な方法で使用されている鉱石である。特にトルマリン鉱石を飲料水に多く使用されている、又、鉱石を健康生活用品に使用する事により身体全体の活性化ができる。【０００７】黒曜石は昔から健康水として黒曜石を色々な方法で加工されて使用している。
特許出願者荻原大が開発した数多くのサウナ関係及び岩盤浴関係に関して黒曜石とリンサンエン鉱物から強力マイナスイオン発生する鉱石を使用した事は、類の無い開発である。
【発明を実施するための最良の形態】
【０００８】  使用する黒曜石は産地として有名な長野県和田峠産であり、その成分含有率の一例を表１に示す。
【表１】
2008207164.tif 000002
【表２】
2008207164.tif 000003
【０００９】  マイナスイオンの効能効果は現代の人体に大変必要なイオンである。液体では水、人、動物、物など地球上の全ての物質は１０３個の原子の組み合わせによって成り立っている。人の場合、体を分離していくと胃や腸などの内臓や骨、皮膚などになり、それらをもっと小さくしていきますと細胞になる。
その細胞は原子から成り立っている、人は６５個の原子から成り立っていると言われています。真ん中に原子核があり、その外側に電子がある、
原子核はプラスの電気、外側の電子はマイナス電気です。対に安定している状態が良いですが、何かしらのエネルギー（赤外線、電磁波、排気ガス、食物、ストレスなど）が加わると、マイナス電子が飛び出してしまいます。
この状態を不対電子（フリーラジカル）といい、酸化を引き起こしていく原因である。その人体にマイナス電子をプレゼントさせる、マイナスイオンは電子を持って行く粒子である。【００１０】  今回の浄水器はコンパクトでメンテナスが少なく、多量のマイナスイオンが飲料水に含まれて身体を自然治癒力の増進を高め又、活性化されます。
【図面の簡単な説明】
【００１０】
【図１】全体の立体図
【図２】分解した立体図  家庭用水道蛇口１に２の取り付け装置で固定する、１２の矢印方向に水道水は３本体の架台の中を通過して、４強力マイナスイオン発生イオンボールに水圧衝撃を加えて５鉱石搬入容器の６黒曜石・７トルマリン鉱石に水圧を加えて１２−３から１２−４の矢印方向にマイナスイオン水となって流れる。さらに、３架台の中に水道水が流れる空間に４マイナスイオン発生生成材セラミックスイオンボールをセットする、水道水は空間のイオン発生生成材を▲５▼矢印に水圧衝撃を加えながら、▲７▼▲８▼方向に流れ、５容器上部に４強力マイナスイオン発生イオンボールに水圧衝撃を加えて６黒曜石７トルマリン鉱石に水圧衝撃を加えて１０浄水フィルターセット装置を水道水が浄化される。浄水フィルターセットは簡単に取り外しが出来、水洗いができる、そのフィルターを通過して、シャワー口から浄水マイナスイオン水となる装置である。
【符号の説明】
【００１１】１    水道口。（一般水栓）
２    水道口に取り付け場所。
３    本体。（架台）
４    強力マイナスイオン発生ポール。
５    パッチング容器下。
６    黒曜石。
７    トルマリン鉱石。
８    下、浄水カバー。
９    上、浄水カバー。
１０  水出口。及び浄水フィルター装置。
１１  パッチング容器上。
１２  水道水の流れ矢印。
１２−１  ・１２−２・  １２−３・  １２−４・▲５▼▲６▼▲７▼▲８▼水道水の流れ矢印。
１３  下、浄水カバー取り付けネジ。
１４  上、浄水カバー取り付けネジ。
【図１】
2008207164.tif 000004
【図２】
2008207164.tif 000005